(57)【特許請求の範囲】
【請求項１】
ディスクドライブの挿入口にディスクを挿入する際に、前記ディスクの中心が前記挿入口の中央部より左右にずれて挿入されるのを規制するディスク挿入規制装置であって、
前記ディスクドライブ内の挿入口の近傍に配置され、前記挿入口から挿入されるディスクの右側に当接する右の当接部を有するとともに、前記ディスクドライブのシャシの前板と略平行に設けられ、前記挿入口の幅方向に沿って左右にスライド移動自在な板状の右のスライダと、
前記ディスクドライブ内の挿入口の近傍に配置され、前記挿入口から挿入されるディスクの左側に当接する左の当接部を有するとともに、前記右のスライダに対して上方又は下方に前記右のスライダとほぼ同一平面内に設けられ、前記挿入口の幅方向に沿って左右にスライド移動自在な板状の左のスライダと、
これら左右の前記スライダを、第一の所定距離まで近づくように付勢する付勢手段と、
上側に設けられたスライダの下部分と下側に設けられたスライダの上部分のうちの一方の部分に他方の部分に当接もしくは近接して設けられた突出部と、他方の部分に前記突出部から離れるように設けられた切欠部とを有し、少なくとも一方の前記スライダの当接部が前記挿入口の中央部から第二の所定距離に達した際に、前記突出部と前記切欠部とが対向する位置に配置されることにより前記スライダの回転移動が可能となり、前記突出部と前記切欠部とが対向せずに前記突出部が前記切欠部の外側の部分に対向して、前記突出部が他方の部分に当接することにより前記スライダの回転移動が規制される回転阻止手段と、
前記ディスクドライブにディスクを挿入させることにより、左右の前記当接部のうちの少なくとも一方の当接部に前記ディスクが当接し、左右の前記スライダのうちの少なくとも一方のスライダが前記ディスクに押されて移動した際に、一方のスライダに回転トルクがかかるように設けられるとともに、左右の前記スライダの前記挿入口の中央部からの移動量の差が前記突出部と前記切欠部とが対向するような差であり、かつ、一方のスライダの前記当接部が、前記挿入口の中央部からの距離が第一の所定距離より長い第二の所定距離に達した場合に、一方のスライダの前記挿入口の中央部から離れる方向への移動を規制する規制手段と、
を備えることを特徴とするディスク挿入規制装置。
【請求項２】
前記規制手段は、前記挿入口の幅方向に沿って左右に延在するように左右の前記スライダに設けられる被ガイド部と、前記左右のスライダ毎に、それぞれ前記被ガイド部に少なくとも左右二カ所の係合位置で相対的に左右に移動自在に係合することにより、前記スライダの回転を抑止した状態で前記スライダを左右方向にスライド移動自在に案内するガイド部とを有し、
前記被ガイド部には、前記当接部が第二の所定距離に達した際に、二カ所の前記係合位置うちの一方の係合位置に、前記ガイド部の一部が入り込むことにより、前記スライダの前記回転トルク方向への回転を許すように前記回転トルクの方向に向って凹む凹部が形成されていることを特徴とする請求項１に記載のディスク挿入規制装置。
【請求項３】
前記被ガイド部が溝もしくはスリットとされるとともに前記凹部が溝もしくはスリットの幅を広げることにより設けられ、かつ、前記ガイド部が前記溝もしくは前記スリット内に左右二カ所でそれぞれ挿入されて前記被ガイド部と係合する左右のピンとされ、
左右の前記ピンが前記スライダを左右にスライド移動自在に案内するとともに、左右の前記ピンが前記溝もしくは前記スリットの端部に至ることで、前記スライダの移動範囲を規制するようになっていることを特徴とする請求項２に記載のディスク挿入規制装置。
【発明の詳細な説明】
【０００１】
【発明の属する技術分野】
本発明は、コンパクトディスク等のディスクを挿入口から挿入してセッティングするディスクドライブに設けられ、ディスクの中心が前記挿入口の中央部から大きくずれた状態で挿入されることを規制するディスク挿入規制装置に関するものである。
【０００２】
【従来の技術】
大径（例えば直径１２cm）、小径（例えば直径８cm）の双方のコンパクトディスク（以下、ＣＤとする）を再生可能なスロットイン（フロントローディング）タイプのディスク再生装置（ディスクドライブ）は、ＣＤを装置内に挿入する際、装置内のＣＤの径に対応したストッパに突き当てることにより、径が異なるＣＤでも、スピンドルモータに取り付けられたターンテーブルに正しくセンタリングさせる構成となっているものがある。ここで、径の異なるＣＤをそれぞれ該ＣＤの径に対応するストッパに当接させるには、ＣＤの中心が挿入口のほぼ中央部を通過するようにＣＤを挿入する必要があった。
そのため、ディスク再生装置のＣＤの挿入口には、ＣＤの挿入を中央部に限定させるためのディスク挿入規制機構が備えられている。ここでは、図４及び図５を用いて、従来のスロットインタイプのディスク再生装置におけるディスク挿入規制機構について説明する。
【０００３】
図４に従来のスロットインタイプのディスク再生装置におけるＣＤ１９の挿入口に設けられたディスク挿入規制機構１０を示す。このディスク挿入規制機構１０は、シャシ１１に備えられている。なお、ディスク挿入規制装置１０の配置される位置には、上下に重なるようにディスク搬送用ローラ１２が設けられている。該ディスク搬送用ローラ１２は、挿入されたＣＤ１９をディスク再生装置内に引き込むものである。
ディスク挿入規制機構１０は、シャシ１１にそれぞれ取り付けられた、左アーム１３ａ、右アーム１３ｂ、左連結用アーム１４ａ、右連結用アーム１４ｂ、ガイド溝１６、バネ１７等を備えている。
【０００４】
左アーム１３ａは、シャシ１１に回動自在に取り付けられるとともに、一方の端部に、挿入されるＣＤ１９に当接する当接部１３ｃが備えられ、他方の端部に、左連結用アーム１４ａが回動自在に取り付けられている。右アーム１３ｂも同様に、シャシ１１上に回動自在に取り付けられており、一方の端部に、挿入されるＣＤ１９に当接する当接部１３ｄが備えられ、他方の端部に、右連結用アーム１４ｂが回動自在に取り付けられている。
【０００５】
左連結用アーム１４ａ及び右連結用アーム１４ｂは、左アーム１３ａ及び右アーム１３ｂにそれぞれリンク部１４ｃ、１４ｄを介して回動自在に連結されている。左連結用アーム１４ａ及び右連結用アーム１４ｂは、左アーム１３ａ、右アーム１３ｂと連結されている端部と反対側の端部同士が回動自在に連結されている。また、前記左連結用アーム１４ａと右連結用アーム１４ｂとの連結部分は、シャシ１１に設けられた後述するガイド溝１６に沿ってスライド移動するスライド部１５となっている。また、スライド部１５には、スライド部１５をガイド溝１６に沿ってＣＤ１９の挿入方向に付勢するバネ１７が接続されている。
【０００６】
ガイド溝１６は、ディスク再生装置のシャシ１１の左右のアーム間のほぼ中央に、ＣＤ１９の挿入口近傍からＣＤの挿入方向に沿って奥側に延在するように形成されている。ガイド溝１６は、スライド部１５をシャシ１１の奥側からＣＤ１９の挿入口に向かってスライド移動させるためのガイドである。ガイド溝１６の左右の壁には、それぞれ途中に切り欠き１６ａが備えられており、この切り欠き１６ａの部分でガイド溝１６の幅が広くなっている。
【０００７】
そして、前記バネ１７によりスライド部１５がシャシ１１の奥側に付勢された状態では、前記スライド部１５で互いに連結された左右の連結アーム１４ａ、１４ｂに、さらに、連結された左右のアーム１３ａ、１３ｂが、それぞれのディスク当接部１３ｃ、１３ｄを所定の距離まで近づけた状態となっている。ここで、ＣＤ１９を挿入すると、二つのディスク当接部が、ＣＤ１９に押されてバネ１７の付勢力に抗して押し開かれた状態となるように、左右のアームが回動するとともに、左右のアームに連結された左右の連結アームが回動し、これにより、スライド部１５がバネ１７の付勢力に抗して、ガイド溝１６に沿って奥側から挿入口側にスライド移動するようになっている。
【０００８】
次に、図５を用いて、上記ディスク挿入規制機構１０を有するＣＤ１９のディスク再生装置において、ＣＤ１９を挿入口に対して左寄り、右寄り、中央から挿入するときの動作を説明する。なお、図５（ａ）〜（ｄ）は、ディスク挿入規制機構１０の構成を簡略化して図示したものであり、図５（ａ）に示される状態のディスク挿入規制機構１０が図４に対応しており、ディスク挿入前の状態を示している。
【０００９】
まず、ＣＤ１９をディスク再生装置の挿入口に対して左寄りに挿入しようとすると、図５（ｂ）に示すように、ＣＤ１９の周縁は、左の当接部１３ｃに当たる。
左アーム１３ａは、時計回りに回動し、左連結用アーム１４ａも連動する。そして、左連結用アーム１４ａには、時計回りの回転トルクがかかる。
左連結用アーム１４ａにかかる時計回りの回転トルクが、スライド部１５に作用し、スライド部１５は、ガイド溝１６の右側の壁に沿ってＣＤ１９の挿入口側へスライド移動する。
【００１０】
ガイド溝１６には切り欠き１６ａが備えられているため、やがて、スライド部１５は切り欠き１６ａに入り込み、移動が阻止される。これにより、左連結用アーム１４ａの回動は規制され、ＣＤ１９の挿入が制限される。
一方、図５（ｃ）に示すように、ＣＤ１９をディスク再生装置の挿入口に対して右寄りに挿入した場合も同様、右連結用アーム１４ｂの回動は規制され、ＣＤ１９の挿入が制限される。
【００１１】
ディスク再生装置の挿入口に対して中央から挿入すると、左アーム１３ａ及び右アーム１３ｂに同等の力がかかる。そして、左連結用アーム１４ａにかかる時計回りの回転トルクと右連結用アーム１４ｂにかかる反時計回りの回転トルクとが互いに打ち消し合うため、スライド部１５は、切り欠き１６ａに入り込むことなく、ＣＤ１９の挿入口側に向かってスライド移動することができる。
したがって、左アーム１３ａ及び右アーム１３ｂは、回動を続行できるため、ＣＤ１９をディスク再生装置内に挿入することができる。
【００１２】
【発明が解決しようとする課題】
ところで、上述のディスク再生装置のディスク挿入規制機構１０は、シャシ１１の他に、左アーム１３ａ、右アーム１３ｂ、左連結用アーム１４ａ、右連結用アーム１４ｂ、バネ１７の５種類の部品が最低限必要であった。そのため、これ以上部品数を減らすことができないので、コストダウンが困難であった。
また、バネ１７によって直接力を受ける部品は、左連結用アーム１４ａ及び右連結用アーム１４ｂのみであり、その他の部品は、前記左右の連結用アーム１４ａ、１４ｂを通してバネ１７の力を受けていた。そのため、部品のガタツキを直接押さえることができないので、振動時のラットルノイズの原因となっていた。さらに、ディスク再生装置には、より一層の薄型化が望まれている。しかし、上述のディスク挿入規制機構１０は、ＣＤ１９の搬送面とほぼ同一面内のＣＤ１９の挿入口の内側の近傍よりさらに奥側まで部品を配置する必要があった。そのため、図４に示すように、ディスク挿入規制機構１０と、ディスク搬送用ローラ１２等の他の機構部品とが重なる位置に配置されることになり、重なる位置に配置される部品同士の干渉を避けなければならず、ディスク再生装置の薄型化が困難であった。
【００１３】
本発明の課題は、部品数を減らしてコストを低く抑えるとともに、部品のガタツキ等がなく、ディスクドライブの薄型化が可能な、ディスクドライブの挿入口にディスクを中央から挿入させるためのディスク挿入規制装置を提供することである。
【００１４】
【課題を解決するための手段】
以上の課題を解決するため、請求項１に記載の発明は、ディスクドライブの挿入口にディスクを挿入する際に、前記ディスクの中心が前記挿入口の中央部より左右にずれて挿入されるのを規制するディスク挿入規制装置であって、前記ディスクドライブ内の挿入口の近傍に配置され、前記挿入口から挿入されるディスクの右側に当接する右の当接部を有するとともに、前記ディスクドライブのシャシの前板と略平行に設けられ、前記挿入口の幅方向に沿って左右にスライド移動自在な板状の右のスライダと、前記ディスクドライブ内の挿入口の近傍に配置され、前記挿入口から挿入されるディスクの左側に当接する左の当接部を有するとともに、前記右のスライダに対して上方又は下方に前記右のスライダとほぼ同一平面内に設けられ、前記挿入口の幅方向に沿って左右にスライド移動自在な板状の左のスライダと、これら左右の前記スライダを、第一の所定距離まで近づくように付勢する付勢手段と、上側に設けられたスライダの下部分と下側に設けられたスライダの上部分のうちの一方の部分に他方の部分に当接もしくは近接して設けられた突出部と、他方の部分に前記突出部から離れるように設けられた切欠部とを有し、少なくとも一方の前記スライダの当接部が前記挿入口の中央部から第二の所定距離に達した際に、前記突出部と前記切欠部とが対向する位置に配置されることにより前記スライダの回転移動が可能となり、前記突出部と前記切欠部とが対向せずに前記突出部が前記切欠部の外側の部分に対向して、前記突出部が他方の部分に当接することにより前記スライダの回転移動が規制される回転阻止手段と、前記ディスクドライブにディスクを挿入させることにより、左右の前記当接部のうちの少なくとも一方の当接部に前記ディスクが当接し、左右の前記スライダのうちの少なくとも一方のスライダが前記ディスクに押されて移動した際に、一方のスライダに回転トルクがかかるように設けられるとともに、左右の前記スライダの前記挿入口の中央部からの移動量の差が前記突出部と前記切欠部とが対向するような差であり、かつ、一方のスライダの前記当接部が、前記挿入口の中央部からの距離が第一の所定距離より長い第二の所定距離に達した場合に、一方のスライダの前記挿入口の中央部から離れる方向への移動を規制する規制手段と、を備えることを特徴とする。
【００１５】
請求項１記載の発明によれば、ディスクドライブの挿入口からディスクを挿入した際に、ディスクの中心が挿入口の中央よりずれていると、左右の当接部の少なくとも一方に当接することになる。そして、さらにディスクを挿入していくと左右の当接部がディスクに押されて、左右のスライダが互いに離れるように移動することになる。
【００１６】
ここで、ディスクの中心と挿入口の中央部とが左右いずれかにある程度ずれていると、一方の当接部だけがよけいに押されて一方のスライダが他方のスライダより大きく移動することになる。すなわち、左右のスライダの移動量に差ができる。ここで、左右のスライダの移動量の差があらかじめ設定された所定範囲を超え、左右のスライダのうちの一方のスライダの当接部だけが先に、前記挿入口の中央部からの距離が第一の所定距離より長い第二の所定距離に達した場合に、規制手段が一方のスライダの挿入口の中央部から離れる方向への移動を規制する。
【００１７】
これにより、さらにディスクを挿入しようとした場合に、上述のように移動が規制されたスライダの当接部によりディスクの挿入方向への移動が止められることになり、ディスクの中心を挿入口の中央部側に移動しないと、それ以上ディスクを挿入できない状態となる。従って、ディスクの中心が挿入口の中央部から左右に大きくずれて挿入されるのを規制することができる。
一方、ディスク挿入規制装置において、ディスクドライブ内の挿入口の近傍に左右にスライド移動するとともに当接部を有するスライダを備えるが、該スライダは、挿入口の近傍で左右にスライド移動すればよいので、挿入口の近傍からさらに奥側を占有する必要がない。
【００１８】
また、付勢手段は、挿入口の幅方向に沿って左右にスライド移動自在なスライダを挿入口の中央部に近づく方向に移動するように付勢すれば良いので、付勢手段も挿入口の近傍からさらに奥側を占有する必要がない。
また、規制手段は、挿入口の幅方向に沿ってスライダの挿入口の中央部から離れる方向への移動を規制すれば良いので、挿入口の近傍からさらに奥側を占有する必要がない。
【００１９】
従って、本発明のディスク挿入規制装置は、ディスクドライブの内側の挿入口の近傍だけに納めて配置することができる。これにより、ディスク挿入規制装置の位置が、ディスク搬送用ローラなどの挿入口の近傍よりさらに奥にある他の機構部品と干渉することがない。従って、ディスク挿入規制装置と他の機構部品とをほぼ同じ位置に配置するために厚み方向に重ねた状態とする必要がなく、ディスクドライブの薄型化を容易に図ることができる。
【００２０】
また、ディスク挿入規制装置は、スライダが直接付勢手段に付勢される構成とすることができるとともに、スライダを介して間接的に付勢手段に付勢される部品を必要としないので、不要ながたつきを押えることが可能となり、振動時のラットルノイズの低減を実現することができる。
また、構成部品は、基本的に左右のスライダと、付勢手段となるバネ２４等と、規制手段となる部品とであり、従来のもの比較して部品点数を少なくすることができ、コストダウンが可能である。
また、挿入口の中央部と挿入されるディスクの中心とが大きくずれた状態で、ディスクが挿入口に挿入されることにより、一方のスライダだけを大きく動かした場合に、前記スライダの突出部と切欠部とが対向した位置に配置され、相対的に前記突出部に前記切欠部が挿入されることによりスライダの回転が許可される。一方、ディスクの中心が挿入口の中央部もしくは中央部に近い位置でディスクが挿入された場合には、左右のスライダがそれぞれ左右にほぼ均等に移動する。この際には、スライダの当接部が挿入口の中央部から第二の所定距離に達しても、スライダの突出部と切欠部とが対向する位置とはならず、突出部が切欠部を有するスライダの切欠部の外側で突出部に近接する部分に当接することにより、スライダの回転が規制される。
従って、ディスクの中心が挿入口の中央部もしくは中央部に近い位置でディスクが挿入口に挿入された際には、前記回転規制手段によりスライダの回転が規制されることで、前記規制手段によるスライダの左右への移動の規制がかかることがなく、ディスクを挿入することが可能となる。また、前記スライダに形成された突出部と切欠部という簡単な構成で前記回転阻止手段を実現することができる。
【００２１】
請求項２に記載の発明は、請求項１に記載のディスク挿入規制装置において、前記規制手段は、前記挿入口の幅方向に沿って左右に延在するように左右の前記スライダに設けられる被ガイド部と、前記左右のスライダ毎に、それぞれ前記被ガイド部に少なくとも左右二カ所の係合位置で相対的に左右に移動自在に係合することにより、前記スライダの回転を抑止した状態で前記スライダを左右方向にスライド移動自在に案内するガイド部とを有し、前記被ガイド部には、前記当接部が第二の所定距離に達した際に、二カ所の前記係合位置うちの一方の係合位置に、前記ガイド部の一部が入り込むことにより、前記スライダの前記回転トルク方向への回転を許すように前記回転トルクの方向に向って凹む凹部が形成されていることを特徴とする。
【００２２】
請求項２記載の発明によれば、請求項１と同様の作用効果を得ることができる。また、左右のスライダは、その被ガイド部がガイド部に左右二カ所で係合した状態で、ガイド部に案内されて左右に移動自在とされている。また、前記被ガイド部及びガイド部は、前記スライダの当接部にディスクが当接して押された際に、前記スライダに回転トルクがかかる位置に配置されているが、上述のようにガイド部が被ガイド部の左右二カ所で係合していることにより、スライダの前記回転トルクによる回転は抑止されている。そして、当接部が前記第二の所定距離に達した場合には、ガイド部の被ガイド部と係合する二カ所の係合位置うちの一カ所の係合位置が被ガイド部の凹部に至ることにより、ガイド部の一部が前記凹部に入り込むようにスライダが回転トルク方向に移動可能となり、前記回転トルクにより、ガイド部の一部が被ガイド部と係合する一方の係合位置で凹部に入り込む。
【００２３】
これにより、ガイド部の一部と凹部とが係合し、スライダの移動が規制されることになり、上述のように、ディスクの中心が挿入口の中央部から左右に大きくずれて挿入されるのを規制することができる。
また、請求項２記載の構成において、ディスクの中心が挿入口の中央部もしくは中央部に近い位置でディスクが挿入口に挿入された際には、左右のスライダがほぼ同じように左右の反対方向へ移動することになり、前記回転阻止手段によりスライダの回転が規制され、スライダの回転により機能する前記規制手段によるスライダの左右への移動の規制がかかることがなく、ディスクを挿入することが可能となる。
【００２４】
また、請求項２記載の発明によれば、被ガイド部にガイド部を左右二カ所で係合させるとともに、被ガイド部に凹部を設けるだけの簡単な構成で、前記規制手段を実現することができる。
【００２８】
請求項３に記載の発明は、請求項２に記載のディスク挿入規制装置において、前記被ガイド部が溝もしくはスリットとされるとともに前記凹部が溝もしくはスリットの幅を広げることにより設けられ、かつ、前記ガイド部が前記溝もしくは前記スリット内に左右二カ所でそれぞれ挿入されて前記被ガイド部と係合する左右のピンとされ、左右の前記ピンが前記スライダを左右にスライド移動自在に案内するとともに、左右の前記ピンが前記溝もしくは前記スリットの端部に至ることで、前記スライダの移動範囲を規制するようになっていることを特徴とする。
【００２９】
請求項３に記載の発明によれば、請求項２に記載の構成と同様の作用効果を得ることができるとともに、前記被ガイド部をスライダに設けられた溝もしくはスリットとし、前記ガイド部を前記溝もしくはスリットに挿入されるピンとしているので、極めて簡単な構成で前記被ガイド部と前記ガイド部を実現することができる。
【００３０】
また、ピンと溝もしくはスリットとがスライダの移動範囲を規制するので、スライダの左右への移動範囲を規制するために、ストッパ等を設ける必要がなく、規制手段をより簡単な構成とすることができる。
【００３１】
【発明の実施の形態】
以下、図面を参照して本発明の実施の形態のディスク挿入規制装置２を詳細に説明する。
この例のディスク挿入規制装置２は、ＣＤ、ＤＶＤ等の情報を記憶するディスクの少なくとも情報の再生、読出し、書き込み等のいずれかを行なうスロットインタイプのディスクドライブ（例えば、音楽、映像等の再生を行なうディスク再生装置）に設けられ、ディスクをディスクドライブに挿入する際に、ディスクの中心がディスクドライブの挿入口のほぼ中央部を通るようにディスクの挿入を規制するものである。なお、ディスクドライブには、図示しないディスク搬送用ローラが挿入口の近傍より奥側に備えられ、ディスクドライブの挿入口にある程度ディスクを挿入すると、ディスク搬送用ローラにより、ディスクが自動的に引き込まれるようになっている。
【００３２】
図１〜図３に示すように、このディスク挿入規制装置２は、ディスクドライブの挿入口２７を有するシャシ（図示略）の前板の内側の近傍に、該前板に沿って、前記挿入口２７と同様に左右に延在するように配置されるものである。なお、図１〜図３においては、ディスクドライブの挿入口２７を有する前面部を透かした状態でディスク挿入規制装置２の正面を図示している。
そして、ディスク挿入規制装置２には、挿入口２７の幅方向に沿って左右にスライド移動自在な左右のスライダ２１、２２と、これらスライダ２１、２２のスライド移動をガイドするピン２３ａ〜２３ｄと、左右のスライダ２１、２２同士を互いに近づくように付勢するバネ２４とが備えられている。
【００３３】
前記左右のスライダ２１、２２は、例えば、ディスクドライブのシャシの前板と略平行に配置される板状のものであり、ほぼ同一平面内に配置されている。
前記左右のスライダ２１，２２は、前記ピン２３ａ〜２３ｄが挿入される被ガイドスリット２１ａ、２２ａを有し、左右に延在する被ガイド部材２５と、被ガイド部材２５の一方の端部から上方に突出し、一方の側縁部が挿入されるディスクと当接する当接部２１ｂ、２２ｂとなる当接部材２６とを備えている。
前記被ガイド部材２５は、ディスクの挿入を妨げないように挿入口２７より下に配置されている。そして、被ガイド部材２５に左右に延在するように被ガイドスリット２１ａ、２２ａが形成されている。
また、左右のスライダ２１，２２の被ガイド部材２５は、上下に重なるように配置され、この例において、左のスライダ２１の被ガイド部材２５上に右のスライダ２２の被ガイド部材２５が配置されている。
【００３４】
前記被ガイドスリット２１ａ、２２ａは、スライダ２１、２２の被ガイド部材２５に左右に延在した状態に形成され、左右二カ所にそれぞれピン２３ａ〜２３ｄが挿入されている。また、前記被ガイドスリット２１ａ、２２ａは、その上下幅が前記ピン２３ａ〜２３ｄの直径より僅かに広いものとされている。また、前記被ガイドスリット２１ａ、２２ａが形成された被ガイド部材２５には、被ガイドスリット２１ａ、２２ａの上下幅を上側に広げるように凹部２１ｃ、２２ｃが形成されており、この凹部２１ｃ、２２ｃの位置において、被ガイドスリット２１ａ、２２ａの上下幅が、ピン２３ａ〜２３ｄの径よりも大きくなっている。
また、被ガイドスリット２１ａ、２２ａの幅と凹部２１ｃ、２２ｃの形成位置とについては、ピン２３ａ〜２３ｄとの関係とともに後述する。
【００３５】
また、左のスライダ２１の被ガイド部材２５の右端部の上側縁部には、その上に位置する右のスライダ２２の被ガイド部材２５の下側縁部に近接するように突出部２１ｄが形成されている。一方、右のスライダ２２の被ガイド部材２５の右側の下側縁部には、左右に延在するとともに、前記突出部２１ｄから離れるように切欠部２２ｄが形成されている。なお、切欠部２２ｄの配置については、後述する。
【００３６】
前記当接部材２６は、前記被ガイド部材２５より上方に延出することで、当接部材２６に設けられた当接部２１ｂ、２２ｂが挿入口２７と前後に重なる位置とされている。また、当接部材２６の当接部２１ｂ、２２ｂが設けられる側縁部において、当接部２１ｂ、２２ｂが凹んだ状態となっており、ここにディスクが当接した際に、ディスクの左右側縁部が上下にずれるのを規制するようになっている。
【００３７】
また、左のスライダ２１において、当接部材２６は、被ガイド部材２５の左端部が上方に延出するとともに右側縁部が当接部２１ｂとなっている。また、右のスライダ２２において、当接部材２６は、被ガイド部材２５の右端部が上方に延出するとともに左側縁部が当接部２２ｂとなっている。また、左右の当接部材２６の上端部には、左右の当接部材２６間に架渡されるように前記バネ２４が取り付けられ、左右のスライダ２１，２２がバネ２４により互いに近づくように付勢されている。
【００３８】
また、左のスライダ２１は、その被ガイド部材２５が右のスライダ２２の被ガイド部材２５より下となっているので、左右の当接部２１ｂ、２２ｂの高さ位置を等しくするために、左のスライダ２１の当接部材２６の上下幅の方が長くなっている。また、左のスライダ２１の被ガイド部材２５より上に配置される右のスライダ２２の被ガイド部材２５の左端部がもっとも左側に移動した際に、左のスライダ２１の当接部材２６に干渉しないように、左のスライダ２１の当接部材２６の右側縁部には、当接部２１ｂの下側に凹部が形成され、かつ、左右の当接部２１ｂ、２２ｂが最も近づいた際に、挿入口２７（図示しないターンテーブルの中心）の中央から左右の当接部２１ｂ、２２ｂの距離が等しくなるように調整するために、左のスライダ２１の当接部材２６の当接部２１ｂの位置の幅が、右のスライダ２１の当接部材２６の当接部２２ｂの位置の幅より広くなっている。
【００３９】
前記ピン２３ａ〜２３ｄのうちの左右二本のピン２３ａ、２３ｂが左のスライダ２１用のピンであり、略同じ高さ位置に配置されるとともに、左のスライダ２１の被ガイドスリット２１ａに挿入されている。また、左右二本のピン２３ａ、２３ｂのうちの右側のピン２３ｂが挿入口２７の中央より僅かに左側に配置され、左側のピン２３ａが右側のピン２３ｂと間隔をあけてさらに左側に配置されている。右のスライダ２２の被ガイドスリット２２ａに同じ高さ位置で挿入される左右二本のピン２３ｃ、２３ｄのうちの左側のピン２３ｃが挿入口２７の中央より僅かに右側に配置され、右側のピン２３ｄが左側のピン２３ｃと間隔をあけてさらに右側に配置されている。ピン２３ａ〜２３ｄは、その前後端部のうちの少なくとも一方の端部がディスクドライブのシャシに固定されている。前記ピン２３ａ〜２３ｄには、左右のスライダ２１，２２の前後動（ディスクの挿入方向の動き）を規制する図示しない前後動規制部材が設けられている。なお、ピン２３ａ〜２３ｄ以外の部分に左右のスライダ２１，２２の前後動を規制する前後動規制部材を設けても良い。
【００４０】
ここで、前記ピン２３ａ〜２３ｄと、左右のスライダ２１，２２との関係について説明する。
まず、左のスライダ２１において、その被ガイド部材２５の被ガイドスリット２１ａの左右幅と、該被ガイドスリット２１ａに挿入される左右のピン２３ａ、２３ｂの配置と、左のスライダ２１の当接部２１ｂの位置との関係は、以下のようになっている。すなわち、図１（ａ）に示すように、左のスライダ２１が右に移動し、左の当接部２１ｂが、予め決められた挿入口２７の中央に最も近づく位置に配置された際に、左側のピン２３ａが被ガイドスリット２１ａの左端に至って、被ガイド部材２５に当たり、左の当接部２１ｂがそれ以上、挿入口２７の中央に近づかないようになっている。また、図１（ｄ）に示すように、左のスライダ２１が左に移動し、左の当接部２１ｂが、予め決められた挿入口２７の中央から最も離れる位置に配置された際に、右側のピン２３ｂが被ガイドスリット２１ａの右端に至って、被ガイド部材２５に当たり、左の当接部２１ｂがそれ以上、挿入口２７の中央から離れないようになっている。すなわち、左右のピン２３ａ、２３ｂが左のスライダ２１の左右の移動を規制するストッパとして機能している。
【００４１】
一方、右のスライダ２２においても左のスライダ２１と同様であり、図１（ａ）に示すように、右のスライダ２２が左に移動し、右の当接部２２ｂが、予め決められた挿入口２７の中央に最も近づく位置に配置された際に、右側のピン２３ｄが被ガイドスリット２２ａの右端に至って、被ガイド部材２５に当たり、右の当接部２２ｂがそれ以上、挿入口２７の中央に近づかないようになっている。また、図１（ｄ）に示すように、右のスライダ２２が右に移動し、右の当接部２２ｂが、予め決められた挿入口２７の中央から最も離れる位置に配置された際に、左側のピン２３ｃが被ガイドスリット２２ａの左端に至って、被ガイド部材２５に当たり、右の当接部２２ｂがそれ以上、挿入口２７の中央から離れないようになっている。すなわち、左右のピン２３ｃ、２３ｄが右のスライダ２２の左右の移動を規制するストッパとして機能している。
【００４２】
なお、図１（ａ）に示すように、左右の当接部２１ｂ、２２ｂが最も挿入口２７の中央に近づいた際に、左右の当接部２１ｂ、２２ｂの挿入口２７の中央からの距離が略等しくなるとともに、左右の当接部２１ｂ、２２ｂ間の距離は、挿入されるディスクの中で最も大きな径のディスクのスムーズな挿入を妨げない範囲で、できるだけ近い距離（例えば、最も径の小さなディスクの直径より短い距離）とされている。なお、この際の挿入口の中央部から左右の当接部２１ｂ、２２ｂまでの距離（第一の所定距離）は、ディスクのずれの許容範囲を考慮すると、用いられるディスクのうちの最も径の小さなディスクの半径と前記許容範囲をたした距離よりも短いことが好ましい。また、図１（ｂ）に示すように、左右の当接部２１ｂ、２２ｂが最も挿入口２７の中央から離れた際に、左右の当接部２１ｂ、２２ｂの挿入口２７の中央からの距離が略等しくなるとともに、左右の当接部２１ｂ、２２ｂ間の距離は、最も大きな径のディスクの径よりも広いものとされている。
【００４３】
次に、当接部２１ｂ、２２ｂが挿入されるディスクに押された場合の当接部２１ｂ、２２ｂとスライダ２１，２２を支持するピン２３ａ〜２３ｄとの関係について説明する。左のスライダ２１の当接部２１ｂに挿入されるディスクが当接し、該ディスクにより左のスライダ２１が左に押された場合には、当接部２１ｂより下側で、かつ、当接部２１ｂより右側において左のスライダ２１をピン２３ａ、２３ｂが支持していることにより、左のスライダ２１に反時計回りの回転トルクがかかる。これにより、左右二本のピン２３ａ、２３ｂによる回転の規制が解除された場合に、図２に示すように、左のスライダ２１の被ガイド部材２５の右部が、右のスライダ２２の被ガイド部材２５に向って上方に移動する。
【００４４】
一方、右のスライダ２２の当接部２２ｂに挿入されるディスクが当接し、該ディスクにより右のスライダ２２が右に押された場合には、当接部２２ｂより下側で、かつ、当接部２２ｂより左側において右のスライダ２２をピン２３ｃ、２３ｄが支持していることにより、右のスライダ２２に時計回りの回転トルクがかかる。これにより、左右二本のピン２３ｃ、２３ｄによる回転の規制が解除された場合に、図３に示すように、右のスライダ２２の被ガイド部材２５の右部が、左のスライダ２１の被ガイド部材２５に向って下方に移動する。
【００４５】
次に、被ガイド部材２５の被ガイドスリット２１ａ、２２ａの凹部２１ｃ、２２ｃの位置と、当接部２１ｂの位置と、挿入口２７の中央部から遠い方のピン２３ａ、２３ｄの位置との関係について説明する。
左のスライダ２１においては、挿入されるディスクに押されて左に移動する左の当接部２１ｂの挿入口２７の中央からの距離が、前述の第一の所定距離より大きな後述する第二の所定距離に達した場合に、左のスライダ２１の被ガイドスリット２１ａ内に挿入された左側のピン２３ａの位置の上に配置されるように凹部２１ｃが形成されている。
そして、上述のように回転トルクがかった状態において、左側のピン２３ａが凹部２１ｃに重なった場合には、後述する回転阻止手段が機能した場合を除いて、左側のピン２３ａが相対的に凹部２１ｃに入り込むように移動可能となることで、左のスライダ２１が右側のピン２３ｂを中心として反時計回りに回転可能となる。これにより、左側のピン２３ａが凹部２１ｃに嵌合して、左のスライダ２１の挿入口２７の中央から離れる方向への移動が規制されるようになっている。
【００４６】
一方、右のスライダ２１においては、挿入されるディスクに押されて右に移動する右の当接部２２ｂの挿入口２７の中央からの距離が、前述の第一の所定距離より大きな後述する第二の所定距離に達した場合に、右のスライダ２２の被ガイドスリット２２ａ内に挿入された右側のピン２３ｄの位置の上に配置されるように凹部２２ｃが形成されている。
そして、上述のように回転トルクがかった状態において、右側のピン２３ｄが凹部２２ｃに重なった場合には、後述する場合を除いて、右側のピン２３ｄが相対的に凹部２２ｃに入り込むように移動可能となることで、右のスライダ２２が左側のピン２３ｃを中心として時計回りに回転可能となる。これにより、右側のピン２３ｄが凹部２２ｃに嵌合して、右のスライダ２２の挿入口２７の中央から離れる方向への移動が規制されるようになっている。すなわち、ピン２３ａ〜２３ｄと、被ガイドスリット２１ａ、２２ａと、凹部２１ｃ、２２ｃとが挿入されるディスクの中心が挿入口２７の中央から左右に大きくずれている場合に、ディスクの挿入を規制する規制手段となっている。
【００４７】
上記第２の所定距離とは、例えば、挿入されるディスクの中で最も径の小さなディスクを、該ディスクの中心の挿入口２７の中央からの左右への位置ずれが許容範囲の限界もしくは限界より僅かに小さい状態で、挿入口２７に挿入することにより、ディスクが一方の当接部２１ｂ、２２ｂに当接するとともに一方の当接部２１ｂ、２２ｂを挿入口２７の中央から離れるように押した際に、ディスクが図示しないディスク搬送用ローラにより引き込まれるより前の段階での当接部２１ｂ、２２ｂの挿入口２７の中央からの距離である。
なお、ディスクの中心の挿入口２７の中央からの左右への位置ずれの許容範囲とは、ディスクを挿入した場合に、ディスクドライブの図示しないセンタリング機構によりディスクを図示しないターンテーブルにセット可能な範囲である。
【００４８】
次に、上述のような規制手段と、前述の左のスライダ２１の突出部２１ｄと、前述の右のスライダ２２の切欠部２２ｄとの関係について説明する。
上述のように、左右の当接部２１ｂ、２２ｂのうちの一方の当接部２１ｂ、２２ｂが挿入口２７の中央から第二の所定距離に達した場合に、一方の当接部２１ｂ、２２ｂを備えたスライダ２１，２２が回転することになる。この際には、図２及び図３に示すように、左のスライダ２１の被ガイド部材２５の右端部の上部に設けられた突出部２１ｄと、右のスライダ２２の被ガイド部材２５の下部の右側に設けられた切欠部２２ｄとが対向する位置に配置されており、相対的に切欠部２２ｄに突出部２１ｄが入り込むことにより、上述のスライダ２１，２２の回転が許されるようになっている。
【００４９】
一方、左右の当接部２１ｂ、２２ｂのうちの一方の当接部２１ｂ、２２ｂが挿入口２７の中央から第二の所定距離に達した際に、他方の当接部２１ｂ、２２ｂも図１（ｃ）に示すように、第二の所定距離にほぼ達した状態となっている場合には、上記切欠部２２ｄが右側（挿入口２７の中央から遠ざかる方向）に移動することになり、突出部２１ｄが切欠部２２ｄより左側（外側）の右のスライダ２２の被ガイド部材２５の下側縁部に対向することになる。この際に突出部２１ｄと、前記被ガイド部材２５の下側縁部は、近接した状態となっており、この状態でスライダ２１，２２が回転しようとすると、被ガイド部材２５の下側縁部に突出部２１ｄが当接する。
【００５０】
ここで、左右の当接部２１ｂ、２２ｂが同時に第二の所定距離に達した場合には、左右のスライダ２１，２２がそれぞれ反対方向に回転するように回転トルクがかかるので、この状態で、被ガイド部材２５の下側縁部に突出部２１ｄが当接すると、互いの回転トルクを打ち消し合い、左右のスライダ２１，２２の回転が阻止される。また、左右の当接部の２１ｂ、２２ｂのうちの一方が僅かに先に第二の所定距離に達した場合には、一方の当接部２１ｂ、２２ｂを備えたスライダ２１，２２だけが回転可能となるが、他方のスライダ２１，２２は、左右のピン２３ａ〜２３ｄにより回転が抑止された状態となっているので、この場合も、被ガイド部材２５の下側縁部に突出部２１ｄが当接することにより、左右のスライダ２１，２２の回転が阻止される。そして、当接部２１ｂ、２２ｂが第二の所定距離に達してもスライダ２１，２２の回転が阻止されることにより、ガイド部材２５の凹部２１ｃ、２２ｃにピン２３ａ、２３ｄが入り込むことがなく、スライダ２１，２２のスライド移動が規制されない。従って、ディスクの中心が挿入口２７のほぼ中央部を通るように、ディスクが挿入された場合には、当接部２１ｂ、２２ｂがほぼ均等に左右に移動するので、スライダ２１，２２のスライド移動が規制されることがなく、ディスクが挿入されつづけ、そのままディスクはディスク搬送用ローラにより引き込まれる。
【００５１】
以上のことから、左右の当接部２１ｂ、２２ｂの挿入口２７の中央からの距離（移動量）の差が所定範囲内の場合には、一方の当接部２１ｂ、２２ｂが挿入口２７の中央から第二の所定距離に達してもディスクの挿入が規制されないようになっており、上記突出部２１ｄと切欠部２２ｄとがディスクが中央から挿入された場合のスライダ２１，２２の回転を阻止する回転阻止手段となっている。なお、移動量の差の許容範囲は、基本的に上述のディスクの中心の挿入口２７の中央からの左右への位置ずれの許容範囲とディスクの径に基づいて決められるものである。そして、右のスライダ２２の被ガイド部材２５における上記切欠部２２ｄの右端の位置を変更することにより、移動量の差の許容範囲を代えることができる。
【００５２】
次に、上記ディスク挿入規制装置２を有するディスク再生装置において、ディスクを挿入口２７に対して左寄り、右寄り、中央から挿入するときの動作を説明する。
まず、図１（ａ）に示すように、当接部２１ｂ、２２ｂが最も挿入口２７の中央部に近づいた待機状態において、ディスクの中心が挿入口２７の略中央を通るようにディスクを挿入した場合には、ディスクの挿入方向の前縁の左右がそれぞれ左右の当接部２１ｂ、２２ｂに当接する。そして、ディスクを挿入していくと、図１（ｂ）に示すように左右の当接部２１ｂ、２２ｂが左右に押されて、左右のスライダ２１，２２が挿入口２７の中央から離れる方向に左右に移動する。
さらにディスクを挿入すると、図１（ｃ）に示すように、左右の当接部２１ｂ、２２ｂがほぼ同時に上述の第二の所定距離に達し、被ガイドスリット２１ａ、２２ａに挿入されたピン２３ａ、２３ｄの上側に被ガイドスリット２１ａ、２２ａの凹部２１ｃ、２２ｃが重なる。この状態で、左右のピン２３ａ〜２３ｄによるスライダ２１，２２の回転の抑止が解除された状態となる。
【００５３】
しかし、この際には、図１（ｃ）に示すように、左のスライダ２１の突出部２１ｄが、右のスライダ２２の被ガイド部材２５の切欠部２２ｄより右側となり、左右のスライダ２１，２２が回転しようとすると、左のスライダ２１の突出部２１ｄが右のスライダ２１の被ガイド部材２５の下側縁部に当たって、左右のスライダ２１，２２の回転が抑止され、ピン２３ａ、２３ｄが凹部２１ｃ、２２ｃに入り込んで係合することがなく、そのまま、左右のスライダ２１，２２がさらに挿入口２７の中央部から離れるように移動する。
そして、ディスクが図示しないディスク搬送用ローラに至り、ディスク搬送用ローラにより引き込まれたディスクドライブのターンテーブルにセットされる。
【００５４】
一方、ディスクの中心が挿入口の中央部からずれて挿入された場合には、図２及び図３に示すように、左右の当接部２１ｂ、２２ｂのうちの一方の当接部２１ｂ、２２ｂがディスクにより多く押されることにより、一方の当接部２１ｂ、２２ｂだけが挿入口の中央部から大きく離れるように移動する。
そして、さらにディスクを挿入すると、一方の当接部２１ｂ、２２ｂが先に上述の第二の所定距離に達し、被ガイドスリット２１ａ、２２ａに挿入されたピン２３ａ、２３ｄの上側に被ガイドスリット２１ａ、２２ａの凹部２１ｃ、２２ｃが重なる。この状態で、左右のピン２３ａ〜２３ｄによる一方のスライダ２１，２２の回転の抑止が解除された状態となる。
【００５５】
この際には、図２及び図３に示すように回転阻止手段である突出部２１ｄと切欠部２２ｄとが上下に対向する位置に配置されているので、突出部２１ｄが切欠部２２ｄに入り込むことにより、一方のスライダ２１，２２の回転が阻止されることなく、大きく移動した一方のスライダ２１，２２において、凹部２１ｃ、２２ｃにピン２３ａ、２３ｄが入り込んで係合する。これにより、一方のスライダ２１，２２の移動が規制され、一方のスライダ２１，２２の当接部２１ｂ、２２ｂに当接した状態のディスクをさらに挿入しようとしても、当接部２１ｂ、２２ｂが移動しないので、ディスクの挿入が阻止され、ディスクを挿入口２７の中央部側に寄せないと、ディスクが挿入できない状態となる。
【００５６】
以上のように、この例のディスク挿入規制装置によれば、ディスクの中心が挿入口２７の中央部を通るように、ディスクを挿入させることができる。
また、ディスク挿入規制装置を構成する基本的な部材は、左右のスライダ２１，２２と、バネ２４と、ピン２３ａ〜２３ｄとであり、極めて少ない部材で構成できるので、製造コストの低減を図ることができる。
【００５７】
また、バネ２４に左右のスライダ２１，２２が接続されるが、左右のスライダ２１，２２に可動する部材が接合されないので、振動がある状態の際に、直接バネに接合された左右のスライダ以外に、振動する部材がないので、ラットルノイズを減少させることができる。
また、上述の左右のスライダ２１，２２と、バネ２４と、ピン２３ａ〜２３ｄは、ディスクドライブ内の挿入口の近傍に配置されており、従来のようにディスク搬送用ローラ等のその他の機構部品と上下に位置が重なるようなことがない。従って、ディスク挿入規制装置２を有するディスクドライブにおいて、薄型化を図ることができる。なお、本発明は、上記実施の形態に限定されるものではないことは勿論である。本発明の被ガイド部をスリットではなく、溝としても良いし、被ガイド部となるピンを突出部としても良い。
【００５８】
【発明の効果】
本発明によれば、本発明のディスク挿入規制装置は、ディスクの中心が挿入口の中央部から左右に大きくずれて挿入されるのを規制することができる。また、ディスク再生装置の内側の挿入口の近傍だけに納めて配置することができる。従って、ディスク挿入規制装置と他の機構部品とをほぼ同じ位置に配置するために厚み方向に重ねた状態とする必要がなく、ディスク再生装置の薄型化を図ることができる。
また、ディスク挿入規制装置は、スライダが直接付勢手段に付勢される構成とすることができるとともに、スライダを介して間接的に付勢手段に付勢される部品を必要としないので、不要ながたつきを押えることが可能となり、振動時のラットルノイズの低減を実現することができる。
また、構成部品は、基本的に左右のスライダと、付勢手段となるバネ等と、規制手段となる部品とであり、従来のもの比較して部品点数を少なくすることができ、コストダウンが可能である。
【図面の簡単な説明】
【図１】本発明の実施の形態のディスク挿入規制装置を示すとともに、ディスクドライブの挿入口のほぼ中央からディスクを挿入した際のディスク挿入規制装置の動作を説明するための図である。
【図２】上記ディスク挿入規制装置へ左寄りからディスクを挿入した際の動作を説明するための図である。
【図３】上記ディスク挿入規制装置へ右寄りからディスクを挿入した際の動作を説明するための図である。
【図４】従来のディスク挿入規制機構を示す平面図である。
【図５】従来のディスクローディング機構の動作を説明するための図である。
【符号の説明】
２              ディスク挿入規制装置
２１            左スライダ
２１ａ          被ガイドスリット
２１ｂ          当接部
２１ｃ          凹部
２１ｄ          突出部
２２            右スライダ
２２ａ          被ガイドスリット
２２ｂ          当接部
２２ｃ          凹部
２２ｄ          切欠部
２３ａ〜２３ｄ  ピン
２４            バネ
２７            挿入口
【図１】
0003794934.tif 000002
【図２】
0003794934.tif 000003
【図３】
0003794934.tif 000004
【図４】
0003794934.tif 000005
【図５】
0003794934.tif 000006